(57)【要約】【課題】簡便な操作で確実に視聴制限をかけられるテレビジョン受像装置を提供する。【解決手段】従来のテレビに第２のリモコン装置と、該装置の信号を受ける第２のリモコン受信回路と、該回路によりＯＮ／ＯＦＦ制御される第２の電源スイッチを追加して設ける。第２のリモコン装置には第２の電源スイッチを常時ＯＦＦさせる第１モード、常時ＯＮさせる第２モード、視聴制限を行なう第３モードを選択するスイッチを設ける。第３モードが選択された場合、第２のリモコン受信回路は、第２のリモコン装置により設定された視聴制限条件を記憶すると共に記憶した条件に従って第２の電源スイッチを制御する。【選択図】図１
2008131316.tif 000002
【特許請求の範囲】
【請求項１】
第１のリモコン装置からの信号を第１のリモコン受信回路にて受けて主電源ＯＮ／ＯＦＦを含む動作状態を遠隔操作可能に構成したテレビジョン受像装置において、
第２のリモコン装置と、該第２のリモコン装置からの操作信号を受ける第２のリモコン受信回路と、該第２のリモコン受信回路によりＯＮ／ＯＦＦ制御される第２の電源スイッチとを更に設け、
前記第２の電源スイッチは、前記第１のリモコン受信回路にてＯＮ／ＯＦＦ制御される第１の電源スイッチの上流側に該第１の電源スイッチに直列接続し、
前記第１、第２のリモコン受信回路には前記第２の電源スイッチの上流側より電源供給を受ける補助電源回路より電源供給を行い、
前記第２のリモコン装置には、第１、第２、第３モードを択一選択するスイッチが設けてあり、
前記第２のリモコン受信回路は前記択一選択されたモードを記憶すると共に、前記第１モードが選択された場合には前記第２の電源スイッチを常時ＯＦＦさせ、前記第２モードが選択された場合には前記第２の電源スイッチを常時ＯＮさせ、前記第３モードが選択された場合には前記第２の電源スイッチを視聴制限した状態で動作させるための条件設定を受け付けると共に、受け付けた条件設定を記憶して該記憶した条件設定に従って視聴制限の制御を行なうように構成してあることを特徴とする視聴制限機能付きのテレビジョン受像装置。
【請求項２】
請求項１に記載のテレビジョン受像装置において、前記視聴制限の条件設定の項目には、映像と音声の視聴を禁止する時間帯、一日の許される累計視聴時間、視聴を禁止するテレビチャンネルの番号、視聴を禁止するテレビチャンネルの番号と時間帯との１日又は１週間単位のスケジュール表、のうちの少なくとも一項目を含み、
前記第２のリモコン受信回路は、前記第３モードが選択された状態における前記各設定内容による視聴を禁止するタイミング及び視聴を禁止するテレビチャンネルの視聴が試みられたタイミングでは前記第２の電源スイッチをＯＦＦ状態にし、それら以外のタイミングではＯＮ状態にするように構成してあることを特徴とするテレビジョン受像装置。
【請求項３】
請求項１又は２に記載のテレビジョン受像装置において、前記第１、第２のリモコン受信回路を一体にしてリモコン受信兼視聴制限回路として構成し、
前記第１、第２の電源スイッチの直列回路に代えて第３の電源スイッチを取り付け、
前記リモコン受信兼視聴制限回路は、前記第１、第２の電源スイッチが共にＯＮ状態にされるタイミングでは前記第３の電源スイッチをＯＮ状態にし、前記第１、第２の電源スイッチの何れか一方又は双方がＯＦＦ状態にされるタイミングでは前記第３の電源スイッチをＯＦＦ状態にするように構成してあることを特徴とする視聴制限機能付きのテレビジョン受像装置。
【請求項４】
請求項１乃至３の何れかに記載のテレビジョン受像装置において、前記第３モードにおける視聴を禁止するタイミングでは、前記第２の電源スイッチ又は第３の電源スイッチをＯＦＦ状態にする代わりに、それら電源スイッチはＯＮ状態にしたままテレビ画面上に通常画面に代えて視聴が禁止されている旨を表す画面を表示させることを特徴とする視聴制限機能付きのテレビジョン受像装置。
【請求項５】
リモコン装置からの信号をリモコン受信回路にて受けて主電源ＯＮ／ＯＦＦを含む動作状態を遠隔操作可能に構成したテレビジョン受像装置において、
視聴制限回路と、該回路によりＯＮ／ＯＦＦ制御される第２の電源スイッチとを更に設け、
前記第２の電源スイッチは、前記リモコン受信回路にてＯＮ／ＯＦＦ制御される第１の電源スイッチの上流側に該第１の電源スイッチに直列接続し、
前記視聴制限回路とリモコン受信回路には前記第２の電源スイッチの上流側より電源供給を受ける補助電源回路より電源供給を行い、
前記視聴制限回路は、第１、第２、第３、第４スイッチ位置を択一選択できるようにした抜き差し自由のキー付き選択スイッチを備え、前記第１スイッチ位置が選択された場合には前記第２の電源スイッチを常時ＯＦＦさせ、前記第２スイッチ位置が選択された場合には前記第２の電源スイッチを常時ＯＮさせ、前記第３スイッチ位置が選択された場合には前記第２の電源スイッチを視聴制限した状態で動作させるための条件設定を受け付けて記憶し、前記第４スイッチ位置が選択された場合には前記記憶した設定内容に従って視聴制限の制御を行なうように構成してあることを特徴とする視聴制限機能付きのテレビジョン受像装置。
【請求項６】
請求項５に記載のテレビジョン受像装置において、前記視聴制限の条件設定の項目には、映像と音声の視聴を禁止する時間帯、一日の許される累計視聴時間、視聴を禁止するテレビチャンネルの番号、視聴を禁止するテレビチャンネルの番号と時間帯との１日又は１週間単位のスケジュール表、のうちの少なくとも一項目を含み、
前記視聴制限回路は、前記第４スイッチ位置が選択された状態における前記視聴制限の設定内容による視聴を禁止するタイミング及び視聴を禁止するテレビチャンネルの視聴が試みられたタイミングでは前記第２の電源スイッチをＯＦＦ状態にし、それら以外のタイミングではＯＮ状態にするように構成してあることを特徴とするテレビジョン受像装置。
【請求項７】
請求項５又は６に記載のテレビジョン受像装置において、前記視聴制限回路とリモコン受信回路とを一体にしてリモコン受信兼視聴制限回路として構成し、
前記第１、第２の電源スイッチの直列回路に代えて第３の電源スイッチを取り付け、
前記リモコン受信兼視聴制限回路は、前記第１、第２の電源スイッチが共にＯＮ状態にされるタイミングでは前記第３の電源スイッチをＯＮ状態にし、前記第１、第２の電源スイッチの何れか一方又は双方がＯＦＦ状態にされるタイミングでは前記第３の電源スイッチをＯＦＦ状態にするように構成してあることを特徴とする視聴制限機能付きのテレビジョン受像装置。
【請求項８】
請求項５乃至７の何れかに記載のテレビジョン受像装置において、前記第４スイッチ位置が選択されている状態における視聴を禁止するタイミングでは、前記第２の電源スイッチ又は第３の電源スイッチをＯＦＦ状態にする代わりに、それら電源スイッチはＯＮ状態にしたままテレビ画面上に通常画面に代えて視聴が禁止されている旨を表す画面を表示させることを特徴とする視聴制限機能付きのテレビジョン受像装置。
【発明の詳細な説明】
【技術分野】
【０００１】
本発明は、子供や青少年等が必要以上に長時間に渡ってテレビを視聴したり、テレビゲームを楽しんだり、あるいは好ましくないチャンネルを視聴したりすることを簡便な操作で確実に防止できるようにした視聴制限機能付テレビジョン受像装置に関する。
【背景技術】
【０００２】
近年、テレビジョン受像装置（以下、テレビという。）の価格が低下したことから一家庭に複数台のテレビが設置され、子供部屋などに子供専用に置かれる例がでてきている。更に、テレビを映像出力装置や音声出力装置をして使用するテレビゲーム機が開発されたことから、子供がテレビを使ってゲームを楽しむ例が増えている。子供はテレビの子供向け番組やゲームにのめり込み易いため、深夜遅くまで長時間に渡ってテレビ視聴やテレビゲームに没頭し、勉強が疎かになったり睡眠不足を来したりする。また、テレビのチャンネルや番組の中には成人向けのものがあり、そうしたチャンネルや番組を子供や青少年が視聴することは教育上好ましくない。
【０００３】
こうした問題に対処するため視聴制限をかけられるようにしたテレビ、いわゆるチャイルドロックをかけられるようにしたテレビが従来より各種提案されている。例えば、特許文献１には、第１の設定時刻から所定の時間だけ遅れた第２の設定時刻に到達するまでの間は電源投入操作と特定の暗証番号の入力により映像信号と音声信号の受信を可能にするテレビが開示されている。しかし、暗証番号の入力は面倒であるうえ忘れることがある。また、子供等が暗証番号を覚えてしまうことがあるため暗証番号を頻繁に変更しなければならない問題がある。
【０００４】
また、特許文献２、３等には、レイティング情報を利用して視聴制限を行なうテレビが開示されている。これは送信側で番組内容の過激度を表すレイティング情報を映像信号に重畳して伝送し、受信機側では受信した番組からレイティング情報を読み出し、利用者によってテレビに予め設定されたレイティングレベルと比較し、読み出されたレイティング情報が予め設定されたレイティングレベルを超えた場合に視聴をブロックするものである。しかし、この方法では過激な番組の視聴は制限できるがテレビの長時間視聴やテレビゲームの長時間プレイを制限することはできない。
【特許文献１】特公平６−１０３９３８号公報
【特許文献２】特開２０００−３５４２０９号公報
【特許文献３】特開平１１−１０３４４９号公報
【発明の開示】
【発明が解決しようとする課題】
【０００５】
本発明は、従来技術のこうした問題点を解決するためになされたもので、その課題は子供や青少年等が長時間に渡ってテレビを視聴したり、テレビゲームを楽しんだり、あるいは好ましくないチャンネルを視聴したりすることを簡便な操作で確実に防止できるようにした視聴制限機能付きのテレビジョン受像装置を提供することにある。
【課題を解決するための手段】
【０００６】
前記課題を達成するための請求項１に記載の発明は、第１のリモコン装置からの信号を第１のリモコン受信回路にて受けて主電源ＯＮ／ＯＦＦを含む動作状態を遠隔操作可能に構成したテレビジョン受像装置において、第２のリモコン装置と、該第２のリモコン装置からの操作信号を受ける第２のリモコン受信回路と、該第２のリモコン受信回路によりＯＮ／ＯＦＦ制御される第２の電源スイッチとを更に設け、第２の電源スイッチは第１のリモコン受信回路にてＯＮ／ＯＦＦ制御される第１の電源スイッチの上流側に第１の電源スイッチに直列接続し、第１、第２のリモコン受信回路には第２の電源スイッチの上流側より電源供給を受ける補助電源回路より電源供給を行い、第２のリモコン装置には第１、第２、第３モードを択一選択するスイッチが設けてあり、第２のリモコン受信回路は択一選択されたモードを記憶すると共に、第１モードが選択された場合には第２の電源スイッチを常時ＯＦＦさせ、第２モードが選択された場合には第２の電源スイッチを常時ＯＮさせ、第３モードが選択された場合には第２の電源スイッチを視聴制限した状態で動作させるための条件設定を受け付けると共に、受け付けた条件設定を記憶して記憶した条件設定に従って視聴制限の制御を行なうように構成してあることを特徴とする視聴制限機能付きのテレビジョン受像装置である。
【０００７】
このような構成のテレビジョン受像装置によれば、親がテレビに視聴制限をかけた後に第２のリモコン装置を管理することで、子供等が好ましくないテレビ視聴やテレビゲームを行なう行為を簡単、確実に防止することができる。
【０００８】
また、請求項２に記載の発明は、請求項１に記載のテレビジョン受像装置において、視聴制限の条件設定の項目には映像と音声の視聴を禁止する時間帯、一日の許される累計視聴時間、視聴を禁止するテレビチャンネルの番号、視聴を禁止するテレビチャンネルの番号と時間帯との１日又は１週間単位のスケジュール表、のうちの少なくとも一項目を含み、第２のリモコン受信回路は、第３モードが選択された状態における各設定内容による視聴を禁止するタイミング及び視聴を禁止するテレビチャンネルの視聴が試みられたタイミングでは第２の電源スイッチをＯＦＦ状態にし、それら以外のタイミングではＯＮ状態にするように構成してあることを特徴とするテレビジョン受像装置である。
【０００９】
このような構成のテレビジョン受像装置によれば、子供等が長時間テレビを視聴したり、長時間テレビゲームを楽しんだり、深夜までテレビを見たり、子供に悪影響を与える番組を見たりすることを制限するいわゆるチャイルドロックを第２のリモコン装置の操作により簡単に設定し、実行させることができる。従って、親がテレビに視聴制限をかけた後に第２のリモコン装置を管理することで、子供等のそうした好ましくない行為を簡単、確実に防止することができる。
【００１０】
また、請求項３に記載の発明は、請求項１又は２に記載のテレビジョン受像装置において、第１、第２のリモコン受信回路を一体にしてリモコン受信兼視聴制限回路として構成し、第１、第２の電源スイッチの直列回路に代えて第３の電源スイッチを取り付け、リモコン受信兼視聴制限回路は、第１、第２の電源スイッチが共にＯＮ状態にされるタイミングでは第３の電源スイッチをＯＮ状態にし、第１、第２の電源スイッチの何れか一方又は双方がＯＦＦ状態にされるタイミングでは第３の電源スイッチをＯＦＦ状態にするように構成してあることを特徴とする視聴制限機能付きのテレビジョン受像装置である。
【００１１】
このように第１、第２のリモコン受信回路を一体に構成すれば、制御に必要なマイクロコンピュータは１式で済み、第１、第２のリモコン受信回路からの光を受信する光受信回路も１式で済む利点がある。電源スイッチも１式で済ますことができる。視聴制限を設定する第２のリモコン装置は独立に設けているため、第２のリモコン装置で視聴制限をかけた後、それを管理することでチャイルドロックを簡単、確実に実行させることができる。
【００１２】
また、請求項４に記載の発明は、請求項１乃至３の何れかに記載のテレビジョン受像装置において、第３モードにおける視聴を禁止するタイミングでは、第２の電源スイッチ又は第３の電源スイッチをＯＦＦ状態にする代わりに、それら電源スイッチはＯＮ状態にしたままテレビ画面上に通常画面に代えて視聴が禁止されている旨を表す画面を表示させることを特徴とする視聴制限機能付きのテレビジョン受像装置である。
【００１３】
このような構成としても視聴を禁止するタイミングでは視聴ができなくなるので、請求項１乃至３に記載の発明と同様の効果を奏する。
【００１４】
また、請求項５に記載の発明は、リモコン装置からの信号をリモコン受信回路にて受けて主電源ＯＮ／ＯＦＦを含む動作状態を遠隔操作可能に構成したテレビジョン受像装置において、視聴制限回路と、その回路によりＯＮ／ＯＦＦ制御される第２の電源スイッチとを更に設け、第２の電源スイッチはリモコン受信回路にてＯＮ／ＯＦＦ制御される第１の電源スイッチの上流側に第１の電源スイッチに直列接続し、視聴制限回路とリモコン受信回路には第２の電源スイッチの上流側より電源供給を受ける補助電源回路より電源供給を行い、視聴制限回路は第１、第２、第３、第４スイッチ位置を択一選択できるようにした抜き差し自由のキー付き選択スイッチを備え、第１スイッチ位置が選択された場合には第２の電源スイッチを常時ＯＦＦさせ、第２スイッチ位置が選択された場合には第２の電源スイッチを常時ＯＮさせ、第３スイッチ位置が選択された場合には第２の電源スイッチを視聴制限した状態で動作させるための条件設定を受け付けて記憶し、第４スイッチ位置が選択された場合には記憶した設定内容に従って視聴制限の制御を行なうように構成してあることを特徴とする視聴制限機能付きのテレビジョン受像装置である。
【００１５】
このような構成のテレビジョン受像装置によれば、親がテレビに視聴制限をかけた後に選択スイッチのキーを管理することで、子供等が好ましくないテレビ視聴やテレビゲームを行なう行為を簡単、確実に防止することができる。
【００１６】
また、請求項６に記載の発明は、請求項５に記載のテレビジョン受像装置において、視聴制限の条件設定の項目には、映像と音声の視聴を禁止する時間帯、一日の許される累計視聴時間、視聴を禁止するテレビチャンネルの番号、視聴を禁止するテレビチャンネルの番号と時間帯との１日又は１週間単位のスケジュール表、のうちの少なくとも一項目を含み、視聴制限回路は第４スイッチ位置が選択された状態における視聴制限の設定内容による視聴を禁止するタイミング及び視聴を禁止するテレビチャンネルの視聴が試みられたタイミングでは第２の電源スイッチをＯＦＦ状態にし、それら以外のタイミングではＯＮ状態にするように構成してあることを特徴とするテレビジョン受像装置である。
【００１７】
このような構成のテレビジョン受像装置は、請求項２に記載の発明と同様の効果を奏する。
【００１８】
また、請求項７に記載の発明は、請求項５又は６に記載のテレビジョン受像装置において、視聴制限回路とリモコン受信回路とを一体にしてリモコン受信兼視聴制限回路として構成し、第１、第２の電源スイッチの直列回路に代えて第３の電源スイッチを取り付け、リモコン受信兼視聴制限回路は第１、第２の電源スイッチが共にＯＮ状態にされるタイミングでは第３の電源スイッチをＯＮ状態にし、第１、第２の電源スイッチの何れか一方又は双方がＯＦＦ状態にされるタイミングでは第３の電源スイッチをＯＦＦ状態にするように構成してあることを特徴とする視聴制限機能付きのテレビジョン受像装置である。
【００１９】
このように視聴制限回路とリモコン受信回路とを一体に構成すれば、制御に必要なマイクロコンピュータは１式で済み、電源スイッチも１式で済ますことができる。
【００２０】
また、請求項８に記載の発明は、請求項５乃至７の何れかに記載のテレビジョン受像装置において、第４スイッチ位置が選択されている状態における視聴を禁止するタイミングでは、第２の電源スイッチ又は第３の電源スイッチをＯＦＦ状態にする代わりに、それら電源スイッチはＯＮ状態にしたままテレビ画面上に通常画面に代えて視聴が禁止されている旨を表す画面を表示させることを特徴とする視聴制限機能付きのテレビジョン受像装置である。
【００２１】
このような構成としても視聴を禁止するタイミングでは視聴ができなくなるので、請求項５乃至７に記載の発明と同様の効果を奏する。
【発明を実施するための最良の形態】
【００２２】
以下、本発明に係る視聴制限機能付きのテレビジョン受像装置の実施例を実施形態に分けて説明する。
（第１の実施形態）
図１は、第１の実施形態に係る視聴制限機能付きのテレビジョン受像装置１の構成をブロック図で示したものである。本ブロック図における第２の電源スイッチ７、第２のリモコン装置８、第２のリモコン受信回路９を除く回路部分は従来のテレビジョン受像装置の構成例である。
【００２３】
この従来構成部分のテレビジョン受像装置は、第１のリモコン装置５、第１のリモコン受信回路６、主電源回路１２、第１の電源スイッチ４、手動電源スイッチ１３、電源プラグ１５、補助電源回路１６、オンスクリーン表示発生回路１８、音声処理回路２０、スピーカ２１、映像処理回路２２、表示装置２３、チューナ回路２４、アンテナ回路２５を備えて構成されている。
【００２４】
主電源回路１２は、テレビ内の映像処理回路２２、音声処理回路２０等の各回路が必要とする直流電源を供給する回路である。主電源回路１２には、電源プラグ１５、手動電源スイッチ１３、第１の電源スイッチ４を介して商用電源が供給される。主電源回路１２への商用電源の供給が絶たれると映像、音声共に視聴不可能になる。
【００２５】
第１のリモコン装置５は、赤外線を用いたリモコン信号により主電源回路１２への電源ＯＮ／ＯＦＦ、チャンネル切り換え、音量調整等の動作を遠隔操作するためのもので、その発する赤外線信号はマイクロコンピュータを内蔵する第１のリモコン受信回路６にて受信、解読され、テレビ内各回路に動作指示が与えられる。ここで、従来のテレビにみられるように、第１のリモコン装置５の操作項目の一部をテレビ本体に設けた操作スイッチで操作できるようにしてもよい。また、第１のリモコン装置５とテレビ本体側の双方で操作できるようにしてもよい。テレビ本体側で操作する場合に必要な操作スイッチや回路の構成は、従来のテレビのものと同様であるので省略する。
【００２６】
テレビ信号はアンテナ回路２５で受信されチューナ回路２４に供給される。チューナ回路２４は第１のリモコン受信回路６の出力する選局信号に従ってチャンネルを選局し、選局されたチャンネルのテレビ信号を高周波信号に変換して映像処理回路２２に出力する。映像処理回路２２は入力された高周波信号を復調して映像信号、同期信号を取り出し、表示装置２３に出力して画像を表示させる。映像処理回路２２で復調された信号は音声処理回路２０にも供給される。音声処理回路２０は入力された信号から音声信号を復調し、スピ−カ２１に供給して音声を再生させる。
【００２７】
このテレビをテレビゲームの映像、音声出力装置として使用する場合には、外部に設置したテレビゲーム機本体の出力する映像、音声信号を外部入力端子を経て映像処理回路２２、音声処理回路２０に入力する。従って、主電源回路１２が動作停止した場合にはテレビゲームを楽しむことは不可能になる。同様に、テレビの映像、音声出力装置を利用するＤＶＤ、ビデオテープの再生も不可能になる。オンスクリーン表示発生回路１８は、表示装置２３の画面上に選局中のチャンネル番号や音声レベル等を数字や画像で映像画面に重畳して、あるいは単独で表示させる回路である。
【００２８】
本実施形態のテレビジョン受像装置１は、上述した従来のテレビに視聴制限機能を付加したものであり、その目的のために第２の電源スイッチ７、第２のリモコン装置８、第２のリモコン受信回路９を追加した構成となっている。第２の電源スイッチ７は前記第１の電源スイッチ４と手動電源スイッチ１３との間にそれらに直列に接続してある。第２の電源スイッチ７は有接点リレー又は無接点リレーで構成してあり、第２のリモコン受信回路９によりＯＮ／ＯＦＦ制御される。
【００２９】
第２のリモコン装置８は視聴制限に関する操作を行なうリモコン装置であり、利用者により操作された内容はコード化された赤外線信号として第２のリモコン受信回路９に送信される。第２のリモコン受信回路９はその信号を受信して解読する。そして、解読した結果を記憶すると共にその指示に従って第２の電源スイッチ７を制御したり、オンスクリーン表示発生回路１８に指示を与えたりする。第１、第２の電源スイッチ４、７は、共に補助電源回路１６より電源供給を受ける。補助電源回路１６は手動電源スイッチ１３と第２の電源スイッチ７との間から商用電源の供給を受けて直流電力を出力する電源回路である。従って、主電源回路１２が動作停止している状態であっても電源プラグ１５に商用電源が供給され、且つ、手動電源スイッチ１３がＯＮ状態にされている状態では第１、第２のリモコン受信回路６、９は動作状態にあり、それぞれ第１、第２のリモコン装置５、８からの信号を受信できる。
【００３０】
図２は、第２のリモコン受信回路９の構成例である。第２のリモコン受信回路９はマイクロコンピュータを主体に構成されており、内部にはＣＰＵ（３０）、ＲＡＭ（３１）、ＲＯＭ（３２）、不揮発メモリ３３、カレンダ時計３４、クロック発生回路３５、光受信回路３７、入力インターフェイス回路３８、出力インターフェイス回路３９、それらを接続するバス４０を備える。
【００３１】
ＲＡＭ（３１）は一時記憶メモリとして使用される。ＲＯＭ（３２）には第２のリモコン受信回路９の動作プログラムが予め記憶させてある。不揮発メモリ３３は、第２のリモコン装置８を使用して指示された視聴制限に関する設定内容を記憶しておくためのものである。電源供給が停止された状態でも設定内容を保持しておく必要から不揮発メモリが使用してある。カレンダ時計３４は月日と時刻を知るためのもので、第２のリモコン受信回路９への電源供給が停止した状態でも動作継続するように電池でバックアップしてある。クロック発生回路３５は、ソフトウェアタイマを動作させるためのクロック信号を発生する回路である。光受信回路３７は、第２のリモコン装置８からの光信号を受信してＣＰＵ（３０）に伝えるためものである。受信した信号の解読はＣＰＵ（３０）が行なう。入力インターフェイス回路３８は、第１のリモコン受信回路６から第１の電源スイッチ４のＯＮ／ＯＦＦ状態、チャンネルの選曲状態に関する情報を取得するためのものである。出力インターフェイス回路３９は、視聴制限に関する設定が行なわれる際に設定を容易にするための視聴制限条件設定画面を表示装置２３に表示させる指示をオンスクリーン表示発生回路１８に出力するためのものである。
【００３２】
図３に、第２のリモコン装置８に設けた押しボタンの配置を示す。図における最上部には３種類のモード切り換えスイッチ、即ち、ＯＦＦモードスイッチ４２（特許請求の範囲に記載した第１モードを選択するスイッチに相当）、制限なしモードスイッチ４３（第２モードを選択するスイッチに相当）、制限ありモードスイッチ４４（第３モードを選択するスイッチに相当）が取り付けてある。その下部分にはテンキースイッチ４５が、その下部分にはクリアスイッチ４７と確定スイッチ４８が、最下部にはメニュースイッチ５０と上下左右矢印スイッチ５１〜５４が取り付けてある。これらの押しボタンが押されると、対応するコード信号が赤外線信号により第２のリモコン受信回路９に送信される。その回路構成は従来技術に係る第１のリモコン装置５の構成と同じであり公知であるので省略する。
【００３３】
次に、このような構成の下でテレビジョン受像装置１に視聴制限をかける操作、及び視聴制限をかけられた場合の動作について説明する。視聴制限に関するモードの切り換えは、第２のリモコン装置８に取り付けた３種類のモード切り換えスイッチ４２、４３、４４を操作して行なう。３種類あるモードのうちのＯＦＦモード（第１モード）は、テレビジョン受像装置１の視聴を一切禁止するモードである。ＯＦＦモードスイッチ４２が押されると、第２のリモコン受信回路９は第２の電源スイッチ７をＯＦＦ状態に維持する。これにより第１の電源スイッチ４のＯＮ／ＯＦＦに関係なく主電源回路１２への商用電源の供給が絶たれるため、テレビの視聴はできなくなる。映像処理回路２２、音声処理回路２０が動作しなくなるため、それらを出力装置として利用するテレビゲーム、ＤＶＤの再生、ビデオテープの再生もできなくなる。
【００３４】
制限なしモード（第２モード）は視聴制限を一切かけず、従来通りに第１のリモコン装置５を操作して電源ＯＮ／ＯＦＦ、チャンネルの選曲、音量調整等を自由に行なわせるモードである。制限なしモードスイッチ４３が押されると、第２のリモコン受信回路９は第２の電源スイッチ７をＯＮ状態に維持する。従って、利用者は第１のリモコン装置５を操作して視聴を自由に行なうことができる。テレビゲーム、ＤＶＤの再生、ビデオテープの再生を楽しむこともできる。
【００３５】
制限ありモード（第３モード）は、視聴制限の条件設定を受け付け、その設定された条件に従ってテレビに視聴制限動作を行なわせるモードである。制限ありモードスイッチ４４が押されると、第２のリモコン受信回路９は以前に設定されて不揮発メモリ３３に記憶されている視聴制限の条件に従ってテレビを動作させる。視聴制限の条件を変更したり、新たな条件を追加したりする場合には、制限ありモードスイッチ４４を押して制限ありモードに切り換えてからメニュースイッチ５０を押す。メニュースイッチ５０が押されると第２のリモコン受信回路９は第２の電源スイッチ７を無条件にＯＮ状態にし、更にオンスクリーン表示発生回路１８に指示して視聴制限条件設定画面を表示装置２３に表示させる。この場合、第１の電源スイッチ４は第１のリモコン装置５を操作して事前にＯＮ状態にしておく。
【００３６】
視聴制限条件設定画面は、条件項目を選択するためのメニュー画面と、選択された条件項目を具体的に設定する詳細設定画面とで構成される。メニュースイッチ５０が押されると図４に示すメニュー画面が表示される。視聴制限項目のメニューとしては、「１．視聴禁止時間帯」、「２．１日の許容累計視聴時間」、「３．視聴禁止チャンネル」、「４．視聴禁止チャンネルと時間帯の週間スケジュール」の４項目が設けてある。メニューの選択は、上下矢印スイッチ５１、５２を操作して矢印カーソルを希望項目に移動させ、確定スイッチ４８を押して行なう。確定スイッチ４８が押されると、第２のリモコン受信回路９は制限ありモードの制御を一時停止し、オンスクリーン表示発生回路１８に指示して選択された項目に対応した詳細設定画面を表示装置２３に表示させる。
【００３７】
視聴制限項目のメニューとして「１．視聴禁止時間帯」が選択された場合には、第２のリモコン受信回路９は図５に示す詳細設定画面を表示させる。図５の詳細設定画面内の禁止時間入力欄には、以前に設定されて不揮発メモリ３３に記憶されている時間帯が表示される。利用者は上下左右矢印スイッチ５１〜５４を操作して入力欄を選択し、テンキースイッチ４５を操作して新たな時間帯を入力する。以前に設定された視聴禁止時間帯を全て解除したい場合は、クリアスイッチ４７を押して入力欄を全て空白にする。禁止開始時刻と禁止解除時刻の入力を終えたならば確定スイッチ４８を押す。
【００３８】
確定スイッチ４８が押されると、画面に設定されていた視聴禁止時間帯の設定値が送信される。第２のリモコン受信回路９はそれを受信して不揮発メモリ３３内に上書き記憶した後、図５の詳細設定画面の表示を停止させる。そして、制限ありモードの制御を再開する。「１．視聴禁止時間帯」の制御については、第２のリモコン受信回路９はカレンダ時計３４から現在時刻の情報を取得し、その時刻が設定された禁止時間帯に入っていたならば第２の電源スイッチ７をＯＦＦ状態にして視聴をできなくする。
【００３９】
視聴制限項目のメニューとして「２．１日の許容累計視聴時間」が選択された場合には、第２のリモコン受信回路９は図６に示す詳細設定画面を表示させる。図６の詳細設定画面内の許容累計時間入力欄には、以前に設定されて不揮発メモリ３３に記憶されている時間が表示される。利用者は左右矢印スイッチ５３、５４を操作して入力欄を選択し、テンキースイッチ４５を操作して新たな時間を入力する。入力を終えたならば確定スイッチ４８を押す。
【００４０】
確定スイッチ４８が押されると、画面に設定されていた許容累計時間の設定値が送信される。第２のリモコン受信回路９はそれを受信して不揮発メモリ３３内に上書き記憶した後、図６の詳細設定画面の表示を停止させる。そして、制限ありモードの制御を再開する。「２．１日の許容累計視聴時間」の制御については、第２のリモコン受信回路９は第１のリモコン受信回路６より第１の電源スイッチ４がＯＮ状態にある信号を受け取る。そして、第１、第２の電源スイッチ４、７が共にＯＮ状態にある時間を午前０時から積算する。積算はクロック発生回路３５が出力するクロック信号をＣＰＵ（３０）がソフトウェアタイマを使用して行なう。積算時間が設定された許容累計時間の数分以内に達したならば、オンスクリーン表示発生回路１８に指示して視聴終了時間が近づいたことを表示装置２３に表示させ、許容累計時間に達した時点で第２の電源スイッチ７をＯＦＦ状態にして視聴をできなくする。
【００４１】
視聴制限項目のメニューとして「３．視聴禁止チャンネル」が選択された場合には、第２のリモコン受信回路９は図７に示す詳細設定画面を表示させる。図７の詳細設定画面内の禁止チャンネル入力欄には、以前に設定されて不揮発メモリ３３に記憶されている禁止チャンネルが表示される。利用者は上下左右矢印スイッチ５１〜５４を操作して入力欄を選択し、テンキースイッチ４５を操作して新たな禁止チャンネルを入力する。入力を終えたならば確定スイッチ４８を押す。
【００４２】
確定スイッチ４８が押されると、画面に設定されていた禁止チャンネルの設定値が送信される。第２のリモコン受信回路９はそれを受信して不揮発メモリ３３内に上書き記憶した後、図７の詳細設定画面の表示を停止させる。そして、制限ありモードの制御を再開する。「３．視聴禁止チャンネル」の制御については、第２のリモコン受信回路９は第１のリモコン受信回路６より選択されているチャンネル番号を受け取る。そして、禁止されているチャンネルが選択された場合には第２の電源スイッチ７をＯＦＦ状態にして視聴をできなくする。なお、第２の電源スイッチ７をＯＦＦ状態にする前には、オンスクリーン表示発生回路１８に指示して選択されたチャンネルは視聴が禁止されている旨を表示装置２３に短時間表示させるとよい。
【００４３】
視聴制限項目のメニューとして「４．視聴禁止チャンネルと時間帯の週間スケジュール」が選択された場合には、第２のリモコン受信回路９は図８に示す詳細設定画面を表示させる。詳細設定画面には、最初に月曜日についての禁止チャンネルとその禁止時間帯の一覧が表示される。数字は以前に設定されて不揮発メモリ３３に記憶されている数字である。利用者は上下左右矢印スイッチ５１〜５４を操作して入力欄を選択し、テンキースイッチ４５を操作して禁止チャンネルとその禁止時間帯とを入力する。続いて火曜日の入力を行なう場合は、下部の「続く」欄に「１」を入力して確定スイッチ４８を押す。すると、設定された内容が第２のリモコン受信回路９に送信されて不揮発メモリ３３に上書き記憶された後、火曜日に対応する画面が表示される。利用者は同じようにして火曜日の禁止チャンネルとその禁止時間帯とを入力する。このような操作の繰り返しにより１週間分の禁止チャンネルとその禁止時間帯のスケジュールを不揮発メモリ３３に記録させる。最終曜日の入力が終了したなら「続く」欄を空欄にしたまま確定スイッチ４８を押す。
【００４４】
「続く」欄を空欄にしたまま確定スイッチ４８が押されると、第２のリモコン受信回路９は最後の設定値を不揮発メモリ３３内に上書き記憶し、図８の詳細設定画面の表示を停止させる。そして、制限ありモードの制御を再開する。「４．視聴禁止チャンネルと時間帯の週間スケジュール」の制御については、第２のリモコン受信回路９は第１のリモコン受信回路６より選択されているチャンネル番号を、カレンダ時計３４から現在時刻の情報を取得する。そして、現在時刻が選択されているチャンネルの視聴禁止時間帯に入っていたならば、第２の電源スイッチ７をＯＦＦ状態にして視聴をできなくする。なお、第２の電源スイッチ７をＯＦＦ状態にする前には、オンスクリーン表示発生回路１８に指示して選択されたチャンネルの視聴禁止帯にある旨を表示装置２３に短時間表示させるとよい。
【００４５】
上記説明では、第２のリモコン受信回路９が行なう制御内容を視聴制限項目別に説明したが、制限ありモードの制御中においては第２のリモコン受信回路９は上記４種のメニューで設定された視聴制限の制御を同時並行して実行する。そして、何れかの条件に合致して視聴制限すべきと判断した場合には、第２の電源スイッチ７をＯＦＦ状態にして視聴をできなくする。
【００４６】
このように本実施形態のテレビジョン受像装置１では、視聴制限の条件の設定、解除、それに視聴制限に関する３種のモードであるＯＦＦモード、制限なしモード、制限ありモードの切り換えを全て第２のリモコン装置８を操作して行なうように構成してある。このため、子供等が長時間テレビを視聴したり、長時間テレビゲームを楽しんだり、深夜までテレビを見たり、子供に悪影響を与える番組を見たりする行為を制限する視聴制限（いわゆるチャイルドロック）を第２のリモコン装置８の操作だけで簡単に設定できる。従って、親がテレビに視聴制限をかけた後に第２のリモコン装置８を管理することで、子供等がそうした好ましくない行為をすることを簡単、確実に防止できる効果を奏する。
【００４７】
（第２の実施形態）
図９は、第２の実施形態に係る視聴制限機能付きのテレビジョン受像装置１ａの構成をブロック図で示したものである。なお、図１と同一又は相当部分には同一符号を付してその説明を繰り返さない。本実施形態が第１の実施形態と異なる点は、図１における第１、第２の電源スイッチ４、７を１個の第３の電源スイッチ５５に置き換えた点と、第１、第２のリモコン受信回路６、９を一体にしてリモコン受信兼視聴制限回路５６として構成した点にある。
【００４８】
リモコン受信兼視聴制限回路５６は、第１の実施形態における第１、第２のリモコン受信回路６、９の持つ機能を合わせ持つ回路である。リモコン受信兼視聴制限回路５６は、第１の実施形態において第１のリモコン受信回路６が第１の電源スイッチ４をＯＮ状態とし、且つ、第２のリモコン受信回路９も第２の電源スイッチ７をＯＮ状態とするタイミングにおいてのみ第３の電源スイッチ５５をＯＮ状態にする。第１、第２の電源スイッチ４、７の少なくとも一方がＯＦＦ状態にされるタイミングにおいては、第３の電源スイッチ５５をＯＦＦ状態にする。このような制御により本実施形態のテレビジョン受像装置１ａは第１の実施形態のテレビジョン受像装置１と同様に動作し、視聴制限を同じようにかけられる。
【００４９】
このように第１、第２のリモコン受信回路６、９を一体に構成すれば、制御に必要なマイクロコンピュータは１式で済み、第１、第２のリモコン装置５、８からの光を受信する光受信回路も１式で済む利点がある。同じく、電源スイッチも１式で済ますことができる。リモコン装置は第１の実施形態と同様に二つに分けてあるため、第２のリモコン装置８で視聴制限をかけた後、その第２のリモコン装置８を親が管理することでチャイルドロックを簡単、確実に実行させることができる。
【００５０】
（第３の実施形態）
本実施形態は第１の実施形態の変形であって、回路のブロック図は図１と同じである。第１の実施形態における前記視聴制限をかける制限ありモードでは、視聴を禁止する場合に第２の電源スイッチ７をＯＦＦ状態にして主電源回路１２への商用電源の供給を絶つようにした。これに対して本実施形態では第２の電源スイッチ７はＯＮ状態にしたまま、オンスクリーン表示発生回路１８に指示して通常画面に代えて視聴が禁止されている旨を表す画面を表示装置２３上に表示させる。同時に音声処理回路２０に指示して音声出力を止めさせる。その他の動作は第１の実施形態の場合と同様にする。このようにしても視聴を禁止するタイミングでは視聴ができなくなるので、第１の実施形態と同様の効果がもたらされる。
【００５１】
（第４の実施形態）
本実施形態は第２の実施形態の変形であって、回路のブロック図は図９と同じである。本実施形態は第３の実施形態と同様の考えで、リモコン受信兼視聴制限回路５６は視聴をできなくするタイミングでは第３の電源スイッチ５５をＯＮ状態にしたまま、オンスクリーン表示発生回路１８に指示して通常画面に代えて視聴が禁止されている旨を表す画面を表示装置２３上に表示させる。同時に音声処理回路２０に指示して音声出力を止めさせる。その他の動作は第２の実施形態の場合と同様にする。このようにしても視聴を禁止するタイミングでは視聴ができなくなるので、第２の実施形態と同様の効果がもたらされる。
【００５２】
（第５の実施形態）
図１０は、第５の実施形態に係る視聴制限機能付きのテレビジョン受像装置１ｂの構成をブロック図で示したものである。なお、第１の実施形態に係る図１と同一又は相当部分には同一符号を付してその説明を繰り返さない。本実施形態では、図１における第２のリモコン装置８と第２のリモコン受信回路９とを、キー付き選択スイッチ５９を備えた視聴制限回路５８に置き換えてある。また、第１のリモコン装置５と第１のリモコン受信回路６は、その構成に後述のような変形を加えてリモコン装置６０とリモコン受信回路６１にしている。第２の電源スイッチ７は視聴制限回路５８によりＯＮ／ＯＦＦ制御されるように構成してある。
【００５３】
キー付き選択スイッチ５９は第１〜第４の４個のスイッチ位置を切り換えることのできる選択スイッチであって、キーはどの位置でも抜き差しできるようにしてある。視聴制限回路５８は、第１の実施形態に係る図１中の第２のリモコン受信回路９とほぼ同様の制御を行なう。キー付き選択スイッチ５９により第１スイッチ位置が選択された場合は、第１の実施形態において第２のリモコン装置８上のＯＦＦモードスイッチ４２が押された場合と同様の制御を行なう。この場合、視聴制限回路５８は第２の電源スイッチ７を常時ＯＦＦ状態にさせる。テレビの視聴はできなくなり、外部入力端子を使用するテレビゲーム等も行なえなくなる。
【００５４】
キー付き選択スイッチ５９により第２スイッチ位置が選択された場合は、第１の実施形態において第２のリモコン装置８上の制限なしモードスイッチ４３が押された場合と同様の制御を行なう。この場合、視聴制限回路５８は第２の電源スイッチ７を常時ＯＮ状態にさせる。従って、制限なしにテレビを自由に視聴できる。外部入力端子を使用するテレビゲーム、ＤＶＤ等も楽しむことができる。
【００５５】
キー付き選択スイッチ５９により第３スイッチ位置が選択された場合は、視聴制限の設定を可能として設定内容の読み込みを行なう。これは第１の実施形態において第２のリモコン装置８上の制限ありモードスイッチ４４が押され、且つメニュースイッチ５０が押された場合に相当する。この場合、視聴制限回路５８は第２の電源スイッチ７をＯＮ状態にし、更にオンスクリーン表示発生回路１８に指示して第１の実施形態と同様に視聴制限条件設定画面を表示装置２３に表示させる。
【００５６】
本実施形態ではリモコン装置６０上に、第１の実施形態における第２のリモコン装置８に設けたメニュースイッチ５０と上下左右矢印スイッチ５１〜５４、それに確定スイッチ４８とクリアスイッチ４７も設けておく。テンキースイッチ４５としては、従来のリモコン装置に付いているチャンネル選択スイッチを流用する。それらのスイッチで入力された値は、視聴制限回路５８に伝えられる。利用者はリモコン装置６０上のそれらスイッチを操作して第１の実施形態の場合と同様に「１．視聴禁止時間帯」、「２．１日の許容累計視聴時間」、「３．視聴禁止チャンネル」、「４．視聴禁止チャンネルと時間帯の週間スケジュール」の４項目について制限内容の設定を行なう。視聴制限回路５８は、入力された設定内容を読み込んで不揮発メモリ３３に上書き記憶する。ここで、従来のテレビにみられるように、リモコン装置６０の操作項目の一部をテレビ本体に設けた操作スイッチで操作できるようにしてもよい。また、リモコン装置６０とテレビ本体側の双方で操作できるようにしてもよい。テレビ本体側で操作する場合に必要な操作スイッチや回路の構成は、第１の実施形態における第１のリモコン装置５の操作項目の一部をテレビ本体側で行なえるようにする従来構成と同様であるので省略する。
【００５７】
キー付き選択スイッチ５９により第４スイッチ位置が選択された場合は、視聴制限回路５８は第３スイッチ位置において設定された視聴制限の制御を行なう。これは第１の実施形態において第２のリモコン装置８上の制限ありモードスイッチ４４が押され、且つメニュースイッチ５０が押されていない場合に相当する。第２の電源スイッチ７が視聴制限の設定内容に従ってＯＮ／ＯＦＦ制御されることにより視聴制限が実行される。
【００５８】
このようにキー付き選択スイッチ５９の操作により第１の実施形態の場合と同様の動作を行なわせるようになっている。従って、視聴制限の内容を設定した後にキー付き選択スイッチ５９を第４スイッチ位置にしてキーを取り外し、取り外したキーを親が管理することでチャイルドロックを簡単、確実に実行させることができる。
【００５９】
（第６の実施形態）
図１１は、第６の実施形態に係る視聴制限機能付きのテレビジョン受像装置１ｃの構成をブロック図で示したものである。なお、図１０と同一又は相当部分には同一符号を付してその説明を繰り返さない。本実施形態が第５の実施形態と異なる点は、図１０における第１、第２の電源スイッチ４、７を１個の第３の電源スイッチ５５に置き換えた点と、視聴制限回路５８とリモコン受信回路６１を一体にしてリモコン受信兼視聴制限回路５６ａとして構成した点である。
【００６０】
リモコン受信兼視聴制限回路５６ａは、第５の実施形態における視聴制限回路５８とリモコン受信回路６１の持つ機能を合わせ持つ回路である。リモコン受信兼視聴制限回路５６ａは、第５の実施形態においてリモコン受信回路６１が第１の電源スイッチ４をＯＮ状態とし、且つ、視聴制限回路５８も第２の電源スイッチ７をＯＮ状態とするタイミングにおいてのみ第３の電源スイッチ５５をＯＮ状態にする。第１、第２の電源スイッチ４、７の少なくとも一方がＯＦＦ状態にされるタイミングにおいては、第３の電源スイッチ５５をＯＦＦ状態にする。このような制御により本実施形態のテレビジョン受像装置１ｃは第５の実施形態のテレビジョン受像装置１ｂと同様に動作し、視聴制限を同じようにかけられる。
【００６１】
このように視聴制限回路５８とリモコン受信回路６１を一体に構成すれば、制御に必要なマイクロコンピュータは１式で済み、電源スイッチも１式で済ますことができる。視聴制限の条件変更や制限解除にはキー付き選択スイッチ５９の操作が必要である。従って、視聴制限条件を設定した後にキー付き選択スイッチ５９を第４スイッチ位置にしてキーを取り外し、取り外したキーを親が管理することでチャイルドロックを簡単、確実に実行させることができる。
【００６２】
（第７の実施形態）
本実施形態は第５の実施形態の変形であって、回路のブロック図は図１０と同じである。第５の実施形態において第４スイッチ位置が選択された場合には、視聴を禁止する場合に第２の電源スイッチ７をＯＦＦ状態にして主電源回路１２への商用電源の供給を絶つようにした。これに対して本実施形態では第２の電源スイッチ７はＯＮ状態にしたまま、オンスクリーン表示発生回路１８に指示して通常画面に代えて視聴が禁止されている旨を表す画面を表示装置２３上に表示させる。同時に音声処理回路２０に指示して音声出力を止めさせる。その他の動作は第５の実施形態の場合と同様にする。このようにしても視聴を禁止するタイミングでは視聴ができなくなるので、第５の実施形態と同様の効果がもたらされる。
【００６３】
（第８の実施形態）
本実施形態は第６の実施形態の変形であって、回路のブロック図は図１１と同じである。本実施形態は第７の実施形態と同じ考えで、リモコン受信兼視聴制限回路５６ａは視聴をできなくするタイミングでは第３の電源スイッチ５５をＯＮ状態にしたまま、オンスクリーン表示発生回路１８に指示して通常画面に代えて視聴が禁止されている旨を表す画面を表示装置２３上に表示させる。同時に音声処理回路２０に指示して音声出力を止めさせる。その他の動作は第６の実施形態の場合と同様にする。このようにしても視聴を禁止するタイミングでは視聴ができなくなるので、第６の実施形態と同様の効果がもたらされる。
【００６４】
なお、上記各実施形態で説明してきたテレビ（テレビジョン受像装置）は、テレビ受像機能のみを有するテレビジョン受像装置でもよいし、インターネット接続などの他の機能を併設したテレビジョン受像装置であってもよい。たとえば、リモコン装置でテレビを視聴するテレビ付きパーソナルコンピュータのテレビジョン受像装置部分に本発明の視聴制限機能を付与することは、本発明の好ましい態様の一つである。
【図面の簡単な説明】
【００６５】
【図１】第１の実施形態に係るテレビジョン受像装置１のブロック図である。
【図２】第２のリモコン受信回路９の構成例である。
【図３】第２のリモコン装置８の押しボタンの配置例である。
【図４】メニュー画面の例である。
【図５】視聴禁止時間帯の設定画面の例である。
【図６】１日の許容累計視聴時間の設定画面の例である。
【図７】視聴禁止チャンネルの設定画面の例である。
【図８】視聴禁止チャンネルと時間帯の週間スケジュールの設定画面の例である。
【図９】第２の実施形態に係るテレビジョン受像装置１ａのブロック図である。
【図１０】第５の実施形態に係るテレビジョン受像装置１ｂのブロック図である。
【図１１】第６の実施形態に係るテレビジョン受像装置１ｃのブロック図である。
【符号の説明】
【００６６】
図面中、１、１ａ、１ｂ、１ｃはテレビジョン受像装置、４は第１の電源スイッチ、５は第１のリモコン装置、６は第１のリモコン受信回路、７は第２の電源スイッチ、８は第２のリモコン装置、９は第２のリモコン受信回路、１２は主電源回路、１３は手動電源スイッチ、１６は補助電源回路、１８はオンスクリーン表示発生回路、２０は音声処理回路、２１はスピーカ、２２は映像処理回路、２３は表示装置、４２はＯＦＦモードスイッチ（第１モードの選択スイッチ）、４３は制限なしモードスイッチ（第２モードの選択スイッチ）、４４は制限ありモードスイッチ（第３モードの選択スイッチ）、５５は第３の電源スイッチ、５６、５６ａはリモコン受信兼視聴制限回路、５８は視聴制限回路、５９はキー付き選択スイッチを示す。
【図１】
2008131316.tif 000003
【図２】
2008131316.tif 000004
【図３】
2008131316.tif 000005
【図４】
2008131316.tif 000006
【図５】
2008131316.tif 000007
【図６】
2008131316.tif 000008
【図７】
2008131316.tif 000009
【図８】
2008131316.tif 000010
【図９】
2008131316.tif 000011
【図１０】
2008131316.tif 000012
【図１１】
2008131316.tif 000013